(57)【要約】  ウェブサイトのウェブサイトコンテンツに関連する有料検索キャンペーンのためのキーワードレベルのランディングページを生成するシステムであって、システムは、ＳＥＭキャンペーンにおいてＳＥＭキーワードとして能動的にターゲットとされる複数のフレーズと、ウェブサイトコンテンツに関連するウェブサイトコンテンツデータを受信するように適合されたウェブサイトコンテンツ収集モジュールと、ウェブサイトコンテンツ収集モジュールからウェブサイトコンテンツデータを取り出し、受信したキャンペーン定義用語及び取り出したウェブサイトコンテンツデータに基づいて複数のランディングページを生成し、公開されているウェブページサーバと通信し、公開されているウェブページサーバが生成されたランディングページを格納して提供できるようにするように適合されたランディングページ生成モジュールとを含む。
2019519840.tif 000002
【特許請求の範囲】
【請求項１】
ウェブサイトにおけるウェブサイトコンテンツに関連する有料検索キャンペーンのキーワードレベルのランディングページを生成するシステムであって、前記システムは、
１組のキャンペーン定義用語を受信し、前記１組のキャンペーン定義用語は、ＳＥＭキャンペーンにおいてＳＥＭキーワードとして能動的にターゲットとされる複数のフレーズを含むように適合されたキーワードリスト管理モジュールと、
前記ウェブサイトコンテンツに関連するウェブサイトコンテンツデータを受信するように適合されたウェブサイトコンテンツ収集モジュールと、
前記ウェブサイトコンテンツ収集モジュールから前記ウェブサイトコンテンツデータを取り出し、
前記受信したキャンペーン定義用語及び前記取り出したウェブサイトコンテンツデータに基づいて複数のランディングページを生成し、
公開されているウェブページサーバと通信して、前記公開されているウェブページサーバが前記生成されたランディングページを格納して提供できるようにする
ように適合されたランディングページ生成モジュールと
を含むシステム。
【請求項２】
前記１組のキャンペーン定義用語は、ＳＥＭアカウントからの１つ以上のキーワードリスト及び／又は１つ以上のユーザ検索クエリリストを含む請求項１に記載のシステム。
【請求項３】
前記ユーザ検索クエリリスト内のユーザ検索クエリは、完全一致ＳＥＭキーワードによって能動的にターゲットとすることができ、又は前記ＳＥＭプラットフォームによるフレーズ又は部分一致ターゲットキーワードを介してトリガすることができる請求項２に記載のシステム。
【請求項４】
前記システムは、ＳＥＭプラットフォームＡＰＩ、手動アップロードの１つから、又はリファラＵＲＬから前記キャンペーン定義用語を取り出すように構成された請求項２に記載のシステム。
【請求項５】
前記キャンペーン定義用語は、複数のキーワードを含み、前記複数のキーワードのそれぞれは、単一のキーワード又は複数の語からなるキーフレーズである請求項３に記載のシステム。
【請求項６】
前記キャンペーン定義用語は、複数のユーザ検索クエリを含み、各ユーザ検索クエリは、単一のキーワード又は複数の語からなるキーフレーズを含む請求項３に記載のシステム。
【請求項７】
前記ウェブサイトコンテンツ収集モジュールは、前記ウェブサイトコンテンツに関連する外部コンテンツを受信するようにさらに適合された請求項１に記載のシステム。
【請求項８】
前記生成されたランディングページを格納して提供するように適合された公開されているウェブページサーバをさらに含む請求項１に記載のシステム。
【請求項９】
前記ウェブページサーバは、前記ウェブサイトの外部にあり、前記生成されたランディングページを、前記ウェブページサーバのＩＰアドレスを指す顧客サブドメインＵＲＬ、又はサーバ側ＵＲＬ書き換えを介して顧客サブディレクトリＵＲＬにパブリッシュする請求項２に記載のシステム。
【請求項１０】
前記キーワードリスト管理モジュールは、前記ウェブサイトコンテンツデータに関連する記述子に基づいてＳＥＭキーワードセットを分類するようにさらに適合された請求項１に記載のシステム。
【請求項１１】
前記キーワードリスト管理モジュールは、前記ウェブサイトコンテンツデータに基づく記述子を前記ターゲットとするキーワードセットに関連付けるようにさらに適合された請求項１に記載のシステム。
【請求項１２】
前記キーワードリスト管理モジュールは、さらに、キーワード対コンテンツ関係、同義語、ストップワード、マッチングアルゴリズム、ランキングアルゴリズム。コンテンツの更新／再キャッシュの頻度の１つ以上を定義するように適合された請求項１に記載のシステム。
【請求項１３】
前記ウェブサイトコンテンツデータは、前記ウェブサイトにおけるコンテンツに関連する製品及び／又はサービスデータを含む請求項１に記載のシステム。
【請求項１４】
前記ウェブページ生成モジュールは、各ランディングページについて唯一のリソースロケータを定義することによってランディングページを生成するようにさらに適合され、前記唯一のリソースロケータは、前記キャンペーン定義用語からの全てのキーワードの少なくともサブセットと、前記公開されているウェブページサーバへのリンクとを含む請求項１に記載のシステム。
【請求項１５】
前記ウェブページ生成モジュールは、他の生成されたランディングページへのハイパーリンクと、前記ウェブサイトコンテンツに基づく動的データと、前記ウェブサイトへのハイパーリンクとの１つ以上を有するランディングページを生成するようにさらに適合された請求項１７に記載のシステム。
【請求項１６】
前記キーワードリスト管理モジュールは、検索クエリの組み合わせがキーワードの組み合わせとして以前に使用されていないかどうかを識別するようにさらに適合された請求項１に記載のシステム。
【請求項１７】
前記キーワードリスト管理モジュールは、検索クエリの組み合わせが関連性及び品質基準を満たすかどうかを識別するようにさらに適合された請求項１に記載のシステム。
【請求項１８】
前記キーワードリスト管理モジュールは、ｉ）少なくとも１つのランディングページを作成し、ｉｉ）前記ＳＥＭアカウントにおいてキーワードとして以前に使用していない全ての検索クエリに特定のラベルを追加するようにさらに適合された請求項１に記載のシステム。
【請求項１９】
前記キーワードリスト管理モジュールは、一致するキーワードランディングページを有するＳＥＭキーワードリストをエクスポートし、及び／又は一致するキーワードランディングページを有するＳＥＭキーワードリストを前記ＳＥＭアカウントにＡＰＩを介してインポートするようにさらに適合された請求項１に記載のシステム。
【請求項２０】
前記ウェブサイトコンテンツ収集モジュールは、ＣＳＶアップロード、ＸＭＬフィード、ＡＰＩ又はウェブクローラを介して前記ウェブサイト及び／又は外部ソースから非製品関連データをインポートするようにさらに適合された請求項１に記載のシステム。
【請求項２１】
前記キーワードリスト管理モジュールは、非製品関連データ関連性についてのトリガワードをさらに定義するようにさらに適合された請求項１に記載のシステム。
【請求項２２】
前記キーワードリスト管理モジュールは、非製品関連データ及びキーワードコンポーネントの関係を定義するようにさらに適合された請求項１に記載のシステム。
【請求項２３】
前記キーワードリスト管理モジュールは、前記キャンペーン定義用語と前記ウェブサイトコンテンツとの間の関係を定義するようにさらに構成され、前記ランディングページ生成モジュールは、前記定義された関係に基づいて前記複数のランディングページを生成するようにさらに適合された請求項１に記載のシステム。
【請求項２４】
ウェブサイトにおけるウェブサイトコンテンツに関連する有料検索キャンペーンのキーワードレベルランディングページを生成する方法であって、前記方法は、
１組のキャンペーン定義用語を受信し、前記１組のキャンペーン定義用語は、ＳＥＭキャンペーンにおいてＳＥＭキーワードとして能動的にターゲットとされる複数のフレーズを含み、
前記ウェブサイトコンテンツに基づいてキーワード対コンテンツの関係を定義し、
前記ウェブサイトコンテンツに関連するウェブサイトコンテンツデータを受信し、
前記ウェブサイトコンテンツデータを取り出し、
前記受信したキャンペーン定義用語及び前記取り出したウェブサイトコンテンツデータに基づいて複数のランディングページを生成し、
公開されているウェブページサーバと通信して、前記公開されているウェブページサーバが、前記生成されたランディングページを格納して提供できるようにする
ことを含む方法。
【請求項２５】
前記１組のキャンペーン定義用語は、ＳＥＭアカウントからの１つ以上のキーワードリスト及び／又は１つ以上のユーザ検索クエリリストを含む請求項２４に記載の方法。
【請求項２６】
前記ユーザ検索クエリリスト内のユーザ検索クエリは、完全一致ＳＥＭキーワードによって能動的にターゲットとすることができ、又は前記ＳＥＭプラットフォームによるフレーズ又は部分一致目標キーワードを介してトリガすることができる請求項２５に記載の方法。
【請求項２７】
前記方法は、ＳＥＭプラットフォームＡＰＩ、手動アップロードの１つから、又はリファラＵＲＬから前記キャンペーン定義用語を取り出すステップをさらに含む請求項２５に記載の方法。
【請求項２８】
前記キャンペーン定義用語は、複数のキーワードを含み、前記複数のキーワードのそれぞれは、単一のキーワード又は複数の語からなるキーフレーズである請求項２６に記載の方法。
【請求項２９】
前記キャンペーン定義用語は、複数のユーザ検索クエリを含み、各ユーザ検索クエリは、単一のキーワード又は複数の語からなるキーフレーズを含む請求項２６に記載の方法。
【請求項３０】
前記ウェブサイトコンテンツに関連する外部コンテンツを受信するステップをさらに含む請求項２４に記載の方法。
【請求項３１】
前記生成されたランディングページを格納して提供するステップをさらに含む請求項２４に記載の方法。
【請求項３２】
前記生成されたランディングページを、前記ウェブページサーバのＩＰアドレスを指す顧客サブドメインＵＲＬ、又はサーバ側ＵＲＬ書き換えを介して顧客サブディレクトリＵＲＬにパブリッシュするステップをさらに含む請求項２５に記載の方法。
【請求項３３】
前記ウェブサイトコンテンツデータに関連する記述子に基づいてＳＥＭキーワードセットを分類するステップをさらに含む請求項２４に記載の方法。
【請求項３４】
前記ウェブサイトコンテンツデータに基づく記述子を前記ターゲットとするキーワードセットに関連付けるステップをさらに含む請求項２４に記載の方法。
【請求項３５】
キーワード対コンテンツ関係、同義語、ストップワード、マッチングアルゴリズム、ランキングアルゴリズム。コンテンツの更新／再キャッシュの頻度の１つ以上を定義するステップをさらに含む請求項２４に記載の方法。
【請求項３６】
前記ウェブサイトコンテンツデータは、前記ウェブサイトにおけるコンテンツに関連する製品及び／又はサービスデータを含む請求項２４に記載の方法。
【請求項３７】
各ランディングページについて唯一のリソースロケータを定義することによって前記ランディングページを生成するステップをさらに含み、前記唯一のリソースロケータは、前記キャンペーン定義用語からの全てのキーワードの少なくともサブセットと、前記公開されているウェブページサーバへのリンクとを含む請求項２４に記載の方法。
【請求項３８】
他の生成されたランディングページへのハイパーリンクと、前記ウェブサイトコンテンツに基づく動的データと、前記ウェブサイトへのハイパーリンクとの１つ以上を有するランディングページを生成するステップをさらに含む請求項２４に記載の方法。
【請求項３９】
検索クエリの組み合わせがキーワードの組み合わせとして以前に使用されていないかどうかを識別するステップをさらに含む請求項２４に記載の方法。
【請求項４０】
検索クエリの組み合わせが関連性及び品質基準を満たすかどうかを識別するステップをさらに含むに請求項２４に記載の方法。
【請求項４１】
ｉ）少なくとも１つのランディングページを作成し、ｉｉ）前記ＳＥＭアカウント内のキーワードとして以前に使用していない全ての検索クエリに特定のラベルを追加するステップをさらに含む請求項２４に記載の方法。
【請求項４２】
一致するキーワードランディングページを有するＳＥＭキーワードリストをエクスポートするステップ、及び／又は一致するキーワードランディングページを有するＳＥＭキーワードリストを前記ＳＥＭアカウントにＡＰＩを介してインポートするステップをさらに含む請求項２４に記載の方法。
【請求項４３】
ＣＳＶアップロード、ＸＭＬフィード、ＡＰＩ又はウェブクローラを介して前記ウェブサイト及び／又は外部ソースから非製品関連データをインポートするステップをさらに含む請求項２４に記載の方法。
【請求項４４】
非製品関連データ関連性のためのトリガワードを定義するステップをさらに含む請求項２４に記載の方法。
【請求項４５】
非製品関連データ及びキーワードコンポーネントの関係を定義するステップをさらに含む請求項２４に記載の方法。
【請求項４６】
前記キャンペーン定義用語と前記ウェブサイトコンテンツとの間の関係を定義するステップと、前記定義された関係に基づいて前記複数のランディングページを生成するステップとをさらに含む請求項２４に記載の方法。
【請求項４７】
請求項２４から４５のいずれか一項に記載の方法で定義されたステップを実行するように構成されたサーバ。
【発明の詳細な説明】
【技術分野】
【０００１】
本発明は、ランディングページ生成の改良に関する。特に、本発明は、キーワードレベルのランディングページを生成するシステム、方法又はサーバに関する。
バックグラウンド
【０００２】
ウェブサイトは、製品やサービスを宣伝する実体によって、顧客を引き付け、それらの製品やサービスの売上を増加させるために使用される。多くの場合、潜在的な顧客はＧｏｏｇｌｅ（商標）、Ｙａｈｏｏ！（商標）、Ｂｉｎｇ（商標）などを使用して、キーワード検索を行い、探している特定の製品又はサービスを販売する実体を見つける。この状況において、潜在的な顧客は、検索エンジンを使用してキーワード検索を実行し、関連性によってランク付けされた「オーガニック検索リスト」においてか、又は、例えば、Ｇｏｏｇｌｅ  ＡｄＷｏｒｄｓ（商標）やＢｉｎｇ  Ａｄｓ（商標）などのオークションモデルで表示された有料広告である「有料検索リスト」若しくは「検索エンジン広告」においてかのいずれかで製品／サービスを見つける。広告掲載順位のオークションでは、クリック単価（ＣＰＣ）は１つのランク付け要因であるが、関連性はもう１つの重要なランク付け要因である（オークション数式における「関連性」は、多くの他の要因の内で、特定のキーワードの掲載順位に対する広告のクリック率履歴、及びランディングページのコンテンツキーワードの一致などの予測要因の組み合わせである「品質スコア」として定量化される。）。
【０００３】
これらの実体にとって、これらの検索エンジンによって提供される検索結果において、特定のウェブサイトの特徴を高くすることがますます重要になってきている。（オーガニック検索結果において掲載順位を高く表示するような特定のウェブサイトの操作を避けるように）検索エンジンがオーガニックランキングアルゴリズムを秘密にしているため、オーガニック検索の結果の１ページ目におけるランクを予測できる可能性は非常に低いが、有料検索の結果で１ページ目のランクを達成することはますます高価になっている。これは、企業数の増加とオンラインでの広告予算の量の増加とによる有料検索オークションにおけるＣＰＣの増加によるものである。
【０００４】
検索エンジンマーケティング（ＳＥＭ）のための取得単価（「ＣＰＡ」；販売又はユーザ情報の問い合わせの取得などのコスト）を維持し、ＳＥＭからの投資収益率（ＲＯＩ）を向上させるために、ウェブサイトの所有者は、有料検索広告の初期段階からＳＥＭランディングページの最適化を利用してきた。
【０００５】
ＳＥＭランディングページの最適化の目的は、潜在的な顧客の検索クエリと、潜在的な顧客に示されることになるランディングページとのマッチングを最適化することであり、ランディングページは有料広告に関連付けられている。
【０００６】
ランディングページの最適化の有効性は、「ゴール」に関するパフォーマンスによって測定される。ゴールは、例えば、購入取引、販売又はユーザが情報問い合わせフォームを提出するなどの「リード」であり得る。他の全てが等しいとして、ゴールコンバージョン率が高いほど、取得単価（ＣＰＡ）が低くなり、有料広告キャンペーンのＲＯＩは高くなる。
【０００７】
ＳＥＭランディングページの最適化の課題の１つは、潜在的に何十万もの異なる顧客検索クエリ及び関連するＳＥＭキャンペーンターゲットキーワードに対して最もよく一致して最適なランディングページコンバージョンが行われることである。現在のシステムでは、潜在的な顧客を検索クエリに完全に一致しないランディングページにリードする傾向があり、コンバージョン率が低下することがあり得る。
【０００８】
ＳＥＭランディングページ最適化のもう１つの課題は、いくつかの検索クエリとキーフレーズについて、最も一致するコンテンツが多数の異なる既存のウェブページに分散されていることである。ターゲットとするキーワードと完全に一致しないランディングページを使用すると、品質スコアが低下する。品質スコアが低くなると、同じＣＰＡを達成するには広告オークションにおけるクリック単価が高くなることを要する。
【０００９】
本発明は、前述の問題の一部又は全部を克服するか、又は少なくとも軽減することを目的とする。
【００１０】
本発明のさらなる目的及び利点は、本明細書の以下の部分において明らかになるであろう。詳細な説明は、本発明の好ましい実施形態を制限なしに完全に開示することを目的とする。
【００１１】
背景の議論（潜在的な先行技術を含む）は、いずれかの国の技術における共通の一般的知識の認定とみなされるべきではない。議論された全ての参考文献に記載されているのは、これらの参考文献の著者の主張であり、本出願人の主張ではない。したがって、出願人は、論議された参考文献の正確性及び関連性に異議を唱える権利を留保する。
【発明の概要】
【００１２】
本開示の様々な態様は、ＳＥＭ／ＳＥＡのためにコンバージョン率を増加させてＣＰＡを減少させるために、検索エンジン広告（ＳＥＡ）又は「有料検索」広告とも呼ばれるＳＥＭのためのランディングページとしてウェブページを生成するシステム、方法及びサーバを含む。
【００１３】
システム、方法及びサーバは、ウェブページをホストしてもよいバックエンドシステムを提供する。リバースプロキシＵＲＬ書き換えは、ウェブサイトのサブドメインの１つ以上、又はインターネットユーザの１つ以上のウェブサイトのサブディレクトリ内のウェブサイトのホストされたページに対応してもよい。ホストされたウェブページは、検索結果の形でコンテンツを表示してもよい。検索結果は、データベース内のコンテンツに対してキーワード検索を行うことによって得られてもよい。
【００１４】
データベースコンテンツには、製品及びサービスフィードなど、ウェブサイトから供給されたデータが含まれていてもよい。生成されたウェブページはキャッシュされ、ページのロード時間とコンバージョン率について最適化されてもよい。
【００１５】
キーワードセットは、手動で追加しても、ＳＥＭプラットフォームからＡＰＩ経由でインポートしても、リファラＵＲＬストリングから読み取ってもよい。
【００１６】
生成されたウェブページは、検索エンジンのオーガニック検索インデックスの検索クローラによってインデックスが作成されるのを防がれてもよく、同様に検索エンジンのクローラは、ロボットのメタタグやｒｏｂｏｔｓ．ｔｘｔの規則によってブロックされてもよい。これは、ランディングページが有料検索広告の目的で生成されるため、ＳＥＭ広告のランディングページとして特別に生成されるためである。
【００１７】
第１の態様によれば、本開示は、ウェブサイトにおけるウェブサイトコンテンツに関連する有料検索キャンペーンのキーワードレベルのランディングページを生成するシステムを提供し、このシステムは、１組のキャンペーン定義用語を受信し、１組のキャンペーン定義用語は、ＳＥＭキャンペーンにおいてＳＥＭキーワードとして能動的にターゲットとされる複数のフレーズを含むように適合されたキーワードリスト管理モジュールと、ウェブサイトコンテンツに関連するウェブサイトコンテンツデータを受信するように適合されたウェブサイトコンテンツ収集モジュールと、ウェブサイトコンテンツ収集モジュールからウェブサイトコンテンツデータを取り出し、受信したキャンペーン定義用語及び取り出されたウェブサイトコンテンツデータに基づいて複数のランディングページを生成し、公開されているウェブページサーバと通信して、公開されているウェブページサーバが、生成されたランディングページを格納して提供できるようにするように適合されたランディングページ生成モジュールとを含む。
【００１８】
第２の態様によれば、本開示は、ウェブサイトにおけるウェブサイトコンテンツに関連する有料検索キャンペーンのキーワードレベルランディングページを生成する方法を提供し、この方法は、１組のキャンペーン定義用語を受信し、１組のキャンペーン定義用語は、ＳＥＭキャンペーンにおいてＳＥＭキーワードとして能動的にターゲットとされる複数のフレーズを含み、記ウェブサイトコンテンツに基づいてキーワード対コンテンツの関係を定義し、ウェブサイトコンテンツに関連するウェブサイトコンテンツデータを受信し、ウェブサイトコンテンツデータを検索し、受信したキャンペーン定義用語及び取り出されたウェブサイトコンテンツデータに基づいて複数のランディングページを生成し、公開されているウェブページサーバと通信して、公開されているウェブページサーバが、生成されたランディングページを格納して提供できるようにすることを含む。
【００１９】
さらなる態様によれば、本開示は、ウェブサイトに関連するＳＥＭ／ＳＥＡにおけるコンバージョン速度を向上させるためのウェブページを生成するためのシステムを提供し、このシステムは、ＳＥＭアカウントからキーワードリスト又はユーザ検索クエリリストを受信し、各キーワード及び各ユーザ検索クエリは、単一のキーワード又は複数の語からなるキーフレーズであることができ、ＳＥＭプラットフォームＡＰＩを介して、手動アップロードを介して、又はリファラＵＲＬからであり、キーワードは、ＳＥＭキャンペーンにおけるＳＥＭキーワードとして能動的にターゲットとされるフレーズであるが、ユーザ検索クエリは、完全一致ＳＥＭキーワードによって能動的にターゲットにすることができ、又はＳＥＭプラットフォームによってフレーズ一致若しくは部分一致を介してトリガされることができ、キーワード−コンテンツの関係を定義するように適合されるキーワードリスト管理モジュールと、ウェブサイトコンテンツ並びにウェブサイトコンテンツ及びキーワードに関連する外部コンテンツに関連するコンテンツデータを受信するように適合されたウェブサイトコンテンツ収集モジュールと、ウェブサイトコンテンツ及び外部コンテンツに関連するウェブサイトコンテンツデータを取り出し、受信されたキーワードセット及び取り出されたウェブサイトコンテンツ及び外部コンテンツデータに基づいてウェブページを生成し、公開されているウェブページサーバと通信して、公開されているウェブページサーバが、生成されたウェブページを格納して提供できるようにさらに適合されたウェブページ生成モジュールとを含む。
【００２０】
さらなる態様によれば、本開示は、ウェブサイトに関連するＳＥＭ／ＳＥＡにおけるコンバージョン率を向上させるためのウェブページを生成する方法を提供し、この方法は、ＳＥＭアカウントからキーワードリスト又はユーザ検索クエリリストを受信し、各キーワード及び各ユーザ検索クエリは、単一のキーワード又は複数の語からなるキーフレーズであることができ、ＳＥＭプラットフォームＡＰＩを介して、手動アップロードを介して、又はリファラＵＲＬからであり、キーワードは、ＳＥＭキャンペーンにおけるＳＥＭキーワードとして能動的にターゲットとされるフレーズであるが、ユーザ検索クエリは、完全一致ＳＥＭキーワードによって能動的にターゲットにすることができ、又はＳＥＭプラットフォームによってフレーズ一致若しくは部分一致を介してトリガされることができ、キーワード−コンテンツ関係を定義し、ウェブサイトコンテンツ並びにウェブサイトコンテンツ及びキーワードに関連する外部コンテンツに関連するコンテンツデータを受信し、ウェブサイトコンテンツ及び外部コンテンツに関連するウェブサイトコンテンツデータを取り出し、受信されたキーワードセット及び取り出されたウェブサイトコンテンツ及び外部コンテンツデータに基づいてウェブページを生成し、公開されているウェブページサーバと通信して、公開されているウェブページサーバが、生成されたウェブページを格納して提供できるようにすることを含む。
【００２１】
上記の方法のステップを実行するように構成されたサーバも開示される。上記の方法のステップを実行するように構成されたソフトウェアを含む他の態様も開示される。
【図面の簡単な説明】
【００２２】
本発明の実施形態は、図面及び付録を参照して以下に説明される。
【００２３】
【図１Ａ】説明した構成が実施され得る汎用コンピュータシステムを形成する概略ブロック図である。
【図１Ｂ】説明した構成が実施され得る汎用コンピュータシステムを形成する概略ブロック図である。
【００２４】
【図２】本発明の一実施形態によるキーワードレベルのランディングページ生成システム及びフロープロセスを示す図である。
【００２５】
【図３Ａ】本発明の一実施形態によるＳＥＭキーワードレベルランディングページ生成の一般的なプロセスフロー図である。
【図３Ｂ】本発明の一実施形態によるＳＥＭキーワードレベルランディングページ生成の一般的なプロセスフロー図である。
【００２６】
【図４】本発明の一実施形態によるＳＥＭクエリのためのキーワード拡張プロセスのフロー図を示す。
【００２７】
【図５】本発明の一実施形態による非製品コンテンツ追加プロセスのフロー図を示す。
【００２８】
【図６】本発明の一実施形態に従って生成されたランディングページの例を示す図である。
【発明を実施するための形態】
【００２９】
添付図面の１つ以上において、同じ参照番号を有するステップ及び／又は特徴に言及する場合、それらのステップ及び／又は特徴は、反対の意図が現れない限り、本明細書の目的のために同じ機能又は動作を有する。
コンピュータの説明
【００３０】
図１Ａ及び図１Ｂは、汎用コンピュータシステム１３００を示し、それを用いて説明する様々な構成が実施され得る。
【００３１】
図１Ａに示すように、コンピュータシステム１３００は、コンピュータモジュール１３０１と、キーボード１３０２、マウスポインタ装置１３０３、スキャナ１３２６、カメラ１３２７、マイクロフォン１３８０等の入力装置と、プリンタ１３１５、表示装置１３１４、及びスピーカ１３１７を含む出力装置を含む。外部変調器−復調器（モデム）トランシーバ装置１３１６は、接続１３２１を介して通信ネットワーク１３２０との間で通信するためにコンピュータモジュール１３０１によって使用されてもよい。通信ネットワーク１３２０は、インターネット、セルラー通信ネットワーク、又はプライベートＷＡＮなどの広域ネットワーク（ＷＡＮ）であってもよい。接続１３２１が電話回線である場合、モデム１３１６は、従来の「ダイヤルアップ」モデムであってもよい。あるいは、接続１３２１が高容量（例えば、ケーブル）接続である場合、モデム１３１６はブロードバンドモデムであってもよい。無線モデムはまた、通信ネットワーク１３２０への無線接続のために使用されてもよい。
【００３２】
コンピュータモジュール１３０１は、典型的には、少なくとも１つのプロセッサユニット１３０５と、メモリユニット１３０６とを含む。例えば、メモリユニット１３０６は、半導体ランダムアクセスメモリ（ＲＡＭ）及び半導体リードオンリメモリ（ＲＯＭ）を有してもよい。また、コンピュータモジュール１３０１は、ビデオディスプレイ１３１４、スピーカ１３１７及びマイクロフォン１３８０に接続するオーディオビデオインタフェース１３０７と、キーボード１３０２、マウス１３０３、スキャナ１３２６、カメラ１３２７、オプションでジョイスティック又は他のヒューマンインタフェース装置（図示せず）に接続するＩ／Ｏインターフェース１３１３と、外部モデム１３１６及びプリンタ１３１５用のインターフェース１３０８とを含む多数の入出力（Ｉ／Ｏ）インターフェースを含む。いくつかの実施形態では、モデム１３１６は、コンピュータモジュール１３０１内に、例えばインターフェース１３０８内に組み込まれてもよい。コンピュータモジュール１３０１はまた、接続１３２３を介してローカルエリアネットワーク（ＬＡＮ）として知られるローカルエリア通信ネットワーク１３２２にコンピュータシステム１３００を接続することを可能にするローカルネットワークインターフェース１３１１を有する。図１Ａに示すように、ローカル通信ネットワーク１３２２はまた、典型的には同様の機能を有するいわゆる「ファイアウォール」デバイス又はデバイスを含むことがある接続１３２４を介してワイドネットワーク１３２０に接続してもよい。ローカルネットワークインターフェース１３１１は、イーサネット（登録商標）回路カード、ブルートゥース（登録商標）無線装置又はＩＥＥＥ  ８０２．１１無線装置を含んでもよいが、インターフェース１３１１について多数の他の種類のインターフェースを実施することができる。
【００３３】
Ｉ／Ｏインターフェース１３０８及び１３１３は、シリアル及びパラレル接続のいずれか又は両方を提供してもよく、前者は一般にＵＳＢ（Ｕｎｉｖｅｒｓａｌ  Ｓｅｒｉａｌ  Ｂｕｓ）規格に従って実施され、対応するＵＳＢコネクタ（図示せず）を有する。記憶装置１３０９が設けられ、典型的には、ハードディスクドライブ（ＨＤＤ）１３１０を含む。フロッピー（登録商標）ディスクドライブ及び磁気テープドライブ（図示せず）のような他の記憶装置も使用してもよい。光ディスクドライブ１３１２は、典型的には、不揮発性データ源として機能するように設けられる。例えば、光ディスク（例えば、ＣＤ−ＲＯＭ、ＤＶＤ、Ｂｌｕ−ｒａｙ（登録商標）  Ｄｉｓｃ）、ＵＳＢ−ＲＡＭ、ポータブル、外部ハードドライブ、フロッピー（登録商標）ディスクなどの可搬型メモリデバイスは、システム１３００へのデータの適切なソースとして使用されてもよい。
【００３４】
コンピュータモジュール１３０１のコンポーネント１３０５から１３１３は、典型的には、相互接続されたバス１３０４を介して、当業者に知られているコンピュータシステム１３００の従来の動作モードをもたらすように通信する。例えば、プロセッサ１３０５は、接続１３１８を使用してシステムバス１３０４に接続される。同様に、メモリ１３０６及び光ディスクドライブ１３１２は、接続１３１９によってシステムバス１３０４に接続される。説明した構成が実施され得るコンピュータの例には、ＩＢＭ−ＰＣ及び互換機、Ｓｕｎ  Ｓｐａｒｃｓｔａｔｉｏｎｓ、Ａｐｐｌｅ  Ｍａｃ（商標）又は同様のコンピュータシステムが含まれる。
【００３５】
図３Ａ、図３Ｂ、図４及び図５の方法は、コンピュータシステム１３００を使用して実施することができ、説明する図３Ａ、図３Ｂ、図４及び図５のプロセスは、コンピュータシステム１３００内で実行可能な１つ以上のソフトウェアアプリケーションプログラム１３３３として実施されてもよい。特に、図３Ａ、図３Ｂ、図４及び図５の方法のステップは、コンピュータシステム１３００内で実行されるソフトウェア１３３３における（例えば、図１Ｂを参照）命令１３３１（図３参照）によって行われる。ソフトウェア命令１３３１は、１つ以上の特定のタスクを実行するための１つ以上のコードモジュールとして形成することができる。ソフトウェアはまた、２つの別個の部分に分割することができ、第１の部分及び対応するコードモジュールは、図１及び図２のプロセスを実行し、第２の部分及び対応するコードモジュールは、第１の部分とユーザとの間のユーザインターフェースを管理する。
【００３６】
ソフトウェアは、例えば、以下に記載される記憶装置を含むコンピュータ可読媒体に記憶されてもよい。ソフトウェアは、コンピュータ可読媒体からコンピュータシステム１３００にロードされ、コンピュータシステム１３００によって実行される。コンピュータ可読媒体に記録されたこのようなソフトウェア又はコンピュータプログラムを有するコンピュータ可読媒体は、コンピュータプログラム製品である。コンピュータシステム１３００におけるコンピュータプログラム製品の使用は、好ましくは、キーワードレベルのランディングページ生成のための有利な装置をもたらす。
【００３７】
ソフトウェア１３３３は、典型的には、ＨＤＤ１３１０又はメモリ１３０６に格納される。ソフトウェアは、コンピュータ可読媒体からコンピュータシステム１３００にロードされ、コンピュータシステム１３００によって実行される。したがって、例えば、ソフトウェア１３３３は、光ディスクドライブ１３１２によって読み取られる光学的に読み取り可能なディスク記憶媒体（例えば、ＣＤ−ＲＯＭ）１３２５に記憶されてもよい。そのようなソフトウェア又はコンピュータプログラムが記録されたコンピュータ可読媒体は、コンピュータプログラム製品である。コンピュータシステム１３００におけるコンピュータプログラム製品の使用は、好ましくは、キーワードレベルのランディングページ生成のための装置に影響を及ぼす。
【００３８】
場合によっては、アプリケーションプログラム１３３３は、１つ又は複数のＣＤ−ＲＯＭ１３２５にエンコードされ、対応するドライブ１３１２を介して読み取られ、あるいは、ネットワーク１３２０又は１３２２からユーザによって読み取られてもよい。また、ソフトウェアは、他のコンピュータ可読媒体からコンピュータシステム１３００にロードすることもできる。コンピュータ可読記憶媒体は、実行及び／又は処理のためにコンピュータシステム１３００に記録された命令及び／又はデータを提供する任意の非一時的有形記憶媒体を指す。このような記憶媒体の例には、そのような装置がコンピュータモジュール１３０１の内部又は外部であるか否かに関わらず、フロッピーディスク、磁気テープ、ＣＤ−ＲＯＭ、ＤＶＤ、ブルーレイディスク、ハードディスクドライブ、ＲＯＭ又は集積回路、ＵＳＢメモリ、光磁気ディスク、又は、ＰＣＭＣＩＡカードなどを含む。コンピュータモジュール１３０１へのソフトウェア、アプリケーションプログラム、命令及び／又はデータの提供にも関与することがある一時的又は非有形のコンピュータ可読伝送媒体の例には、無線又は赤外線伝送チャネルならびに他のコンピュータ又はネットワーク装置へのネットワーク接続、ならびに電子メール送信及びウェブサイトに記録された情報などを含むインターネット又はイントラネットを含む。
【００３９】
アプリケーションプログラム１３３３の第２の部分及び上記の対応するコードモジュールは、ディスプレイ１３１４にレンダリング又は表示される１つ以上のグラフィカルユーザインタフェース（ＧＵＩ）を実施するために実行されてもよい。典型的にはキーボード１３０２及びマウス１３０３の操作により、コンピュータシステム１３００及びアプリケーションのユーザは、ＧＵＩに関連するアプリケーションへの制御コマンド及び／又は入力を提供するために機能的に適応可能な方法でインターフェースを操作してもよい。スピーカ１３１７を介して出力されるスピーチプロンプト、マイクロフォン１３８０を介して入力されるユーザボイスコマンドを使用するオーディオインターフェイスなど、機能的に適応可能なユーザインターフェースの他の形態も実施されてもよい。
【００４０】
図１Ｂは、プロセッサ１３０５及びメモリ１３３４の詳細な概略ブロック図である。メモリ１３３４は、図１Ａのコンピュータモジュール１３０１によってアクセス可能な全てのメモリモジュール（ＨＤＤ１３０９及び半導体メモリ１３０６を含む）の論理アグリゲーションを表す。
【００４１】
コンピュータモジュール１３０１が最初に電源投入されると、電源オン自己テスト（ＰＯＳＴ）プログラム１３５０が実行される。ＰＯＳＴプログラム１３５０は、典型的には、図１Ａの半導体メモリ１３０６のＲＯＭ１３４９に格納される。ソフトウェアを格納するＲＯＭ１３４９等のハードウェア装置は、ファームウェアと呼ばれることもある。ＰＯＳＴプログラム１３５０は、適切な機能を保証するためにコンピュータモジュール１３０１内のハードウェアを検査し、正しい動作のために、典型的には、プロセッサ１３０５、メモリ１３３４（１３０９、１３０６）、また、典型的にはＲＯＭ１３４９に記憶されている基本入出力システムソフトウェア（ＢＩＯＳ）モジュール１３５１もチェックする。ＰＯＳＴプログラム１３５０が正常に実行されると、ＢＩＯＳ１３５１は、図１Ａのハードディスクドライブ１３１０を起動する。ハードディスクドライブ１３１０の起動は、ハードディスクドライブ１３１０に常駐するブートストラップローダプログラム１３５２をプロセッサ１３０５を介して実行させる。これにより、オペレーティングシステム１３５３がＲＡＭメモリ１３０６にロードされ、オペレーティングシステム１３５３が動作を開始する。オペレーティングシステム１３５３は、プロセッサ管理、メモリ管理、デバイス管理、ストレージ管理、ソフトウェアアプリケーションインタフェース、及び汎用ユーザインターフェースを含む様々な高水準機能を実行するために、プロセッサ１３０５によって実行可能なシステムレベルアプリケーションである。
【００４２】
オペレーティングシステム１３５３は、メモリ１３３４（１３０９、１３０６）を管理して、コンピュータモジュール１３０１において動作する各プロセス又はアプリケーションが、別のプロセスに割り当てられたメモリと衝突することなく実行するのに十分なメモリを有することを保証する。また、図１Ａのシステム１３００で利用可能な異なる種類のメモリは、各プロセスを効果的に実行するように、適切に使用する必要がある。したがって、アグリゲーションメモリ１３３４は、（別段の記載がない限り）メモリの特定のセグメントがどのように割り当てられるのかを示すことを意図するものではなく、コンピュータシステム１３００によってアクセス可能なメモリの一般的な見方及びその使用方法を提供する。
【００４３】
図１Ｂに示すように、プロセッサ１３０５は、制御ユニット１３３９、算術論理ユニット（ＡＬＵ）１３４０、及び時にはキャッシュメモリと呼ばれるローカル又は内部メモリ１３４８を含むいくつかの機能モジュールを含む。キャッシュメモリ１３４８は、典型的には、レジスタセクション内のいくつかの記憶レジスタ１３４４から１３４６を含む。１つ以上の内部バス１３４１は、これらの機能モジュールを機能的に相互接続する。プロセッサ１３０５は、典型的には、接続１３１８を使用して、システムバス１３０４を介して外部デバイスと通信するための１つ以上のインターフェース１３４２も有する。メモリ１３３４は、接続１３１９を使用してバス１３０４に接続される。
【００４４】
アプリケーションプログラム１３３３は、条件付きブランチ命令及びループ命令を含む命令１３３１のシーケンスを含む。プログラム１３３３はまた、プログラム１３３３の実行に使用されるデータ１３３２を含んでもよい。命令１３３１及びデータ１３３２は、メモリ位置１３２８、１３２９、１３３０及び１３３５、１３３６、１３３７にそれぞれ格納される。命令１３３１とメモリ位置１３２８から１３３０の相対的な大きさに応じて、メモリ位置１３３０に示される命令によって示されるように、特定の命令を単一のメモリ位置に格納してもよい。あるいは、命令は、メモリ位置１３２８及び１３２９に示される命令セグメントによって示されるように、それぞれが別個のメモリ位置に格納されているいくつかの部分にセグメント化されてもよい。
【００４５】
一般に、プロセッサ１３０５には、そこで実行される１組の命令が与えられる。プロセッサ１３０５は後続の入力を待ち、それに対してプロセッサ１３０５が他の命令セットを実行することによって反応する。各入力は、１つ以上の入力装置１３０２、１３０３によって生成されたデータ、ネットワーク１３２０、１３０２の１つを介して外部ソースから受信されたデータ、記憶装置１３０６、１３０９から取り出されたデータ、又は対応するリーダ１３１２に挿入された記憶媒体１３２５から取り出されたデータを含む、１つ以上のソースから供給されてもよく、これらは全て図１Ａに示されている。命令セットの実行は、場合によってはデータの出力をもたらす場合がある。実行は、データ又は変数をメモリ１３３４に格納することを含むことがある。
【００４６】
開示されたキーワードレベルのランディングページ生成構成は、入力変数１３５４を使用し、入力変数１３５４は、対応するメモリ位置１３５５、１３５６、１３５７内のメモリ１３３４に格納される。キーワードレベルのランディングページ生成構成は、出力変数１３６１を作成し、出力変数１３６１は、対応するメモリ位置１３６２、１３６３、１３６４内のメモリ１３３４に格納される。中間変数１３５８は、メモリ位置１３５９、１３６０、１３６６及び１３６７に格納してもよい。
【００４７】
図１Ｂのプロセッサ１３０５を参照すると、レジスタ１３４４、１３４５、１３４６、算術論理演算ユニット（ＡＬＵ）１３４０、及び制御ユニット１３３９は、共に動作して、プログラム１３３３を構成する命令セットにおける全ての命令について「フェッチ、デコード及び実行」サイクルを実行するのに必要なマイクロオペレーションのシーケンスを実行する。各フェッチ、デコード、及び実行サイクルは、
【００４８】
メモリ位置１３２８、１３２９、１３３０から命令１３３１をフェッチ又は読み取るフェッチ動作と、
【００４９】
制御ユニット１３３９がどの命令がフェッチされたかを決定するデコード動作と、
【００５０】
制御ユニット１３３９及び／又はＡＬＵ１３４０が命令を実行する実行動作とを含む。
【００５１】
その後、次の命令についてフェッチ、デコード及び実行サイクルをさらに実行してもよい。同様に、制御ユニット１３３９がメモリ位置１３３２に値を格納又は書き込む格納サイクルを実行してもよい。
【００５２】
図３Ａ、図３Ｂ、図４及び図５のプロセスにおける各ステップ又は各サブプロセスは、プログラム１３３３の１つ以上のセグメントに関連付けられ、共に動作するプロセッサ１３０５内のレジスタ部１３４４、１３４５、１３４７、ＡＬＵ１３４０、及び制御部１３３９によって実行され、プログラム１３３３の指定されたセグメントの命令セット内の全ての命令についてフェッチ、デコード、及び実行サイクルを実行する。
【００５３】
以下の説明は、元のウェブサイトに関連する有料検索のコンバージョン率を改善するためのキーワードレベルのランディングページを生成するためのシステム、サーバ及び方法の特定の例を提供する。ウェブページは、サードパーティによって生成及びホストされ、サーバのＩＰアドレスを指し示す元のウェブサイトサーバのサブドメインを介してか、リバースプロキシＵＲＬ書き換えを有するサーバコンテンツを表示するサブディレクトリを介して、元のウェブサーバを通じてサービスを提供してもよい。ただし、元のウェブサイトの所有者がキーワードレベルのランディングページをホストしてもよいことが理解される。ウェブページは、ＳＥＭ広告を通じて、すなわちキャンペーン定義用語に基づいてターゲットとされた各キーワード／検索クエリに最も近い一致コンテンツを提供することにより、より高いトラフィックコンバージョン率を提供するように生成される。
【００５４】
コンバージョン率は、ＳＥＭキャンペーンに関連付けられたＳＥＭキーワードセット（キャンペーン定義用語）からウェブページを作成又は生成し、ＳＥＭキャンペーンの各キーワードについて１つのランディングページを作成し、キーワードを元のウェブサイトを介して提供された製品及び／又はサービス、ならびに該当する場合はキーワードに一致する関連する外部コンテンツに対して照合することにより改善される。
【００５５】
要するに、システムは、１つ以上のプロセッサ、１つ以上のメモリデバイス又は１つ以上のメモリデバイスへの接続のためのインターフェース、１つ以上のユーザ又は外部システムから命令されるとシステムの受信及び動作が可能になるように外部デバイスへの接続のための入力及び出力インターフェース、様々なコンポーネント間の内部及び外部通信のためのデータバス、及び適切な電源を含む。また、システムは、外部及び内部装置と通信する１つ以上の通信装置（有線又は無線）と、ディスプレイ、ポインティング装置、キーボード又は印刷装置などの１つ以上の入出力装置とを含んでもよい。
【００５６】
１つ以上のプロセッサは、メモリデバイス内にプログラム命令として格納された１つ以上のプログラムのステップを実行するように構成される。プログラム命令は、本明細書で説明する本発明を実行する様々な方法を実行することを可能にする。プログラム命令は、例えばＣベースの言語及びコンパイラのような、任意の適切なソフトウェアプログラミング言語及びツールキットを使用して開発又は実施してもよい。また、プログラム命令は、例えば、コンピュータ可読媒体に格納されるなど、メモリ装置に転送されるか、又は１つ以上のプロセッサによって読み取ることができるような任意の適切な方法で格納されてもよい。コンピュータ可読媒体は、例えばソリッドステートメモリ、磁気テープ、コンパクトディスク（ＣＤ−ＲＯＭ又はＣＤ−Ｒ／Ｗ）、メモリカード、フラッシュメモリ、光ディスク、磁気ディスク、又は任意の他の適切なコンピュータ可読媒体などのプログラム命令を有形に記憶する任意の適切な媒体であってもよい。プログラム命令は、インターネットを介してアクセス可能なサーバ（すなわち、「クラウド」）から利用可能にすることもできることが理解されるであろう。このようにして、システムの全てのコンポーネントが「クラウド」内に位置し、そこからアクセス可能であってもよい。
【００５７】
システムはまた、関連データを取り出すために、外部データ記憶システム又はデバイスと通信するように構成されてもよい。
【００５８】
本明細書で説明されるシステムは、説明された様々な機能及び方法を実行するように構成された１つ又は複数の要素又はモジュールを含むことが理解されるであろう。以下の説明の部分は、システムの要素を構成する様々なモジュール及び／又はエンジンを相互接続して機能を実現する方法の概念図の例を読者に提供することを目的とする。また、以下の説明の部分は、本明細書に記載の方法のステップをどのように実施することができるかをシステムに関連して詳細に説明する。概念図は、様々な異なるモジュール及び／又はエンジンによって様々な段階で様々なデータ要素がどのように処理されるかを読者に示すために提供される。異なるモジュール又はエンジンは、インターネットを介してアクセス可能なサーバ（すなわち「クラウド」）又は１つ又は複数のデスクトップコンピューティングシステムに配置されるなど、任意の数の異なる場所に別々に又は一緒に配置されてもよいことが理解されるであろう。
【００５９】
モジュール又はエンジンの配置及び構成は、様々な機能がここに記載されたものとは異なるモジュール又はエンジンによって実行されてもよく、特定のモジュール又はエンジンが単一のモジュール又はエンジンに組み合わされてもよく、又は本明細書に記載のモジュール又はエンジンの機能が異なるモジュール又はエンジンに分離されてもよいように、システム及びユーザの要求に応じて適切に適合されてもよい。
【００６０】
本明細書のモジュール及び／又はエンジンは、任意の適切な形態の技術を使用し、命令を有して実施され、提供されてもよいことが理解されるであろう。例えば、任意の適切な言語で書かれた任意の適切なソフトウェアコードを使用して、モジュール又はエンジンを実施又は作成することができ、その後、コードをコンパイルして、任意の適切なコンピュータシステムで実行可能な実行可能プログラムを作成する。
【００６１】
代替的に、又は実行可能プログラムと併せて、モジュール又はエンジンは、ハードウェア、ファームウェア及びソフトウェアの任意の適切な混合物を使用して実施されてもよい。例えば、モジュールの一部は、特定用途向け集積回路（ＡＳＩＣ）、システムオンチップ（ＳｏＣ）、フィールドプログラマブルゲートアレイ（ＦＰＧＡ）又は任意の他の適切な適応可能又はプログラム可能な処理装置を使用して実施してもよい。
【００６２】
図２に、一般的なシステムブロック図を示す。元のウェブサイトは、リバースプロキシＵＲＬ書き換えモジュール２０２を用いて、顧客の顧客サーバ２０１でホストされる。外部（バックエンド）システム２０７は、ユーザに見える公開ウェブサーバ２１０と、例えばＧｏｏｇｌｅ  ＡｄＷｏｒｄｓ（商標）などの検索エンジン広告（ＳＥＡ）システムとを有する。複数のウェブサーバ２１０が存在してもよいことが理解されるであろう。
【００６３】
また、外部（バックエンド）システム２０７は、ＳＥＭキーワードリストを受信し、キーワードとコンテンツとの関係を定義するキーワードリスト管理モジュール２０８と、ウェブサイト製品コンテンツデータベース２０６からのコンテンツフィードを介して元のウェブサイトに関連付けられた製品、サービス、及びカテゴリコンテンツを受信する製品コンテンツデータベース２１１と、コンテンツ索引検索モジュール２０９と、顧客によって提供される他の全てのデータ（例えば店舗情報、営業時間など）、ならびにシステムが他の場所で見つけてランディングページを生成するために使用する関連データ（例えば、位置データ、地図、公共の利用可能な関連統計、ニュースデータなど）を格納する非製品コンテンツデータベース２１２と、ウェブクローラ２１３とを含む。
【００６４】
既存のキーワードビジタートラフィックは、検索エンジン２０４から、サーチ広告リストデータベース２０３から有料広告を介して顧客サーバ２０１にホストされた顧客ウェブサイトへ渡される。検索広告リストデータベース２０３を介した有料広告からのＵＲＬリクエストがリバースプロキシＵＲＬ書き換えモジュール２０２に格納された所定のＵＲＬ規則（例えば、サブディレクトリ又はサブドメイン）に一致するときにはいつも、ＵＲＬ規則換えモジュール２０２は、顧客サーバ２０１からではなく、公開されているウェブサーバ２１０からＵＲＬを受信する。
【００６５】
潜在的な顧客が特定の製品又はウェブサイトを検索すると、キーワードフレーズ又はキーワードセットを作成するために１つ又は複数のキーワードが選択される。キーワードセットは、１つ又は複数のキーワードを含むことができることが理解されるだろう。キーワードセットの例は、「｛製品名｝｛製品仕様１｝｛製品仕様２｝｛都市｝」である。潜在的な顧客は、自然検索結果又は検索広告をクリックすることができる。図２に示すように、検索広告からのキーワードフレーズトラフィックは、検索広告リストデータベース２０３と顧客サーバ２０１にホストされた顧客ウェブサイトとの間で発生する。図３でより詳細に説明するように、一般的なプロセスフロー図を示し、図２に示されたシステムは、よりよいキーワードの一致とコンテンツとコンバージョン率の向上のために、顧客サーバ２０１にホストされた顧客ウェブサイトに関連するキーワードレベルのランディングページを最適化する。
【００６６】
ＳＥＭキーワードリスト管理モジュール２０８は、いくつかのキーワードセットを取得又は取り出し、各キーワードセットは、顧客サーバ２０１にホストされている顧客ウェブサイトに関連付けられたＳＥＭアカウントサーバ２０５に格納されているＳＥＭアカウントに関連する１つ以上のキーワードを含む。次いで、これらのセット内のＳＥＭキーワードは、キーワードリスト管理モジュール２０８に格納される。これらの格納されたキーワードは、外部からホストされた追加のウェブページの開発に使用される。つまり、キーワードセットはＧｏｏｇｌｅ  Ａｄｗｏｒｄｓ（商標）などのＳＥＭプラットフォームから取り出され、ＡＰＩ、ＣＳＶアップロード、個別アップロード、ウェブ解析ツールからのレファラＵＲＬ解析、又はキーワードの手動入力を介してインポートされる。さらなるキーワード及び検索クエリを識別するために、ウェブマスターツール、検索クエリレポート、Ａｄｗｏｒｄｓキーワードツールなどのような他のツールを使用してもよいことが理解されるであろう。
【００６７】
キーワードリスト管理モジュール２０８は、本明細書で詳細に説明するように、いくつかの異なるプロセスを実行する。例えば、コンテンツ索引検索モジュール２０９において索引付けされたウェブサイトに関連する製品検索結果から、各キーワードについてランディングページを作成することができる。また、非製品データベース２１２に格納された外部関連コンテンツからランディングページを作成することができる。これは、潜在的に、検索広告リストデータベース２０３及び顧客サーバ２０１にホストされる顧客ウェブサイトからの顧客ＳＥＭ広告に関連するトラフィックのランディングページコンバージョン率を改善する。検索結果は、コンテンツ索引検索モジュール２０９を介してキーワード一致コンテンツを要求し、その検索結果を分析して、ランディングページセット内のランディングページ内のコンテンツ品質を決定することによって得られる。
【００６８】
言い換えると、キーワードリスト管理モジュール２０８は、キーワードごとに単一のランディングページを作成する。ランディングページのコンテンツは、コンテンツ索引検索モジュール２０９で索引付けされる製品コンテンツデータベース２１１からの顧客製品及びカテゴリフィードから得られる。このコンテンツはキーワードに照らしてより簡単に検索できるように、つまり各ランディングページの検索結果を向上させるために索引付けされている。
【００６９】
顧客からの非製品コンテンツ（店舗位置情報など）及び外部関連コンテンツ（統計、ニュースなど）は、非製品コンテンツデータベース２１２から取得してもよく、ランディングページにより多くのキーワード関連コンテンツを追加することを可能にする。
【００７０】
次いで、ランディングページは、検索広告リストデータベース２０３内のＳＥＭ広告のＳＥＭアカウントサーバ２０５内のキーワードレベルのランディングページとして使用される。
【００７１】
サーバ２１０にホストされたランディングページは、リバースプロキシＵＲＬモジュール２０２を介して顧客ウェブサイト２０１からのＵＲＬの検索広告リストデータベース２０３からの検索広告をクリックするユーザに示される。
【００７２】
ランディングページセットの各ランディングページに対する各キーワードのコンテンツ品質を保証するために、キーワードリスト管理モジュール２０８によって一連の規則が適用され、各ランディングページのキーワード対コンテンツ一致スコアを測定し、測定されたキーワード対コンテンツ一致スコアを定義済みのしきい値と比較し、一致スコアが定義されたしきい値よりも低いと判定された場合にアラートを生成する。
【００７３】
コンテンツ品質分析が完了すると、キーワードセットのランディングページは公開されているウェブサーバ２１０内のウェブページ生成モジュールに提供（又は供給）され、キーワードレベルのＳＥＭランディングページを含むキーワードリストはＳＥＭアカウントサーバ２０５に格納された顧客ＳＥＭアカウント提供（又は供給）される。
【００７４】
公開されているウェブサーバ２１０のウェブページ生成モジュールは、顧客サーバ２０１にホストされた顧客ウェブサイト又はウェブサイト製品コンテンツデータベース２０６から提供又は供給された製品、サービス又はカテゴリの記述及び詳細の形態でウェブサイトコンテンツデータ（顧客コンテンツフィード）を取得又は取り出す。また、公開されているウェブサーバ２１０内のウェブページ生成モジュールは、例えば、位置キーワード、関連格納位置コンテンツ、出荷及び配送オプション及び費用情報などの関連する非製品コンテンツデータを受信するために、非製品コンテンツデータベース２１２と通信することもできる。
【００７５】
顧客は、ＣＳＶ又はＸＭＬデータフォーマットなどの任意の適切なフォーマットによりウェブサイト製品コンテンツデータベース２０６からのウェブサイトコンテンツ（製品フィードの詳細を含む）を提供する。あるいは、ウェブサイトのコンテンツ（製品フィードを含む）は、ＣＳＳフィードとして提供されてもよいし、ＡＰＩを介して提供されてもよい。このコンテンツフィードは、顧客のデータベース２０６から製品コンテンツデータベース２１１に供給され、コンテンツ索引検索モジュール２０９で索引付けされる。
【００７６】
店舗の住所や営業時間、地理的位置による出荷情報などの製品に関連しない顧客ウェブサイトデータは、ウェブサイト製品コンテンツデータベース２０６を非製品データベース２１２にＣＳＳとしてＣＳＶやＸＭＬデータ形式又はＡＰＩを介してなどのさまざまなフォーマットで提供することができる。
【００７７】
非製品関連顧客ウェブサイト及び外部データは、手動入力、ＣＳＶ、ＸＭＬ、ＲＳＳフィード又はＡＰＩを介して、又はワールドワイドウェブ２１４内の外部ウェブサイト又はデータベースからウェブクローラ２１３によって追加することもできる。
【００７８】
ウェブサイトによって提供された製品データは、製品コンテンツデータベース２１１に格納され、コンテンツ索引検索モジュール２０９で索引付けされ、コンテンツフィードを検索する目的のキーワードを使用して内部検索結果を生成することを可能にする。ランディングページのコンテンツは、関連非製品コンテンツ、ならびにデータベース２１２に格納された外部ソースからのコンテンツを公開されているウェブサーバ２１０のウェブページ生成モジュールに格納されたウェブページに追加することによって、コンバージョン率について向上させることができる。
【００７９】
言い換えれば、生成されたランディングページは、実質的に、ＳＥＭキーワードを使用したウェブサイトコンテンツに対してコンテンツ索引検索モジュール２０９で実行された内部検索のいくつかの結果である。場合によっては、ランディングページは、顧客非製品コンテンツや外部ソースからの追加のキーワード関連コンテンツを含んでもよい。
【００８０】
製品情報データベース２１１に追加情報を加えてウェブページの作成を支援することができる。例えば、製品のタグ付けにより、特定の製品を定義されたカテゴリによってグループ化することができる。カテゴリをさらに定義することで、より高いコンバージョン率のためにキーワードをより密接に一致させるために、ランディングページのコンテンツをさらに最適化してもよい。
【００８１】
キーワードリスト管理モジュール２０８は、ＳＥＭキーワードリスト、ウェブサイト製品コンテンツデータベース２０６から供給されたウェブサイトコンテンツデータ及び非製品コンテンツデータベース２１２内の非製品キーワード関連コンテンツに基づいて、公開されているウェブサーバ２１０のウェブページ生成モジュールにキーワードレベルのランディングページを生成する。生成された各ランディングページは、特定のキーワードセットに関連付けられている。
【００８２】
キーワードレベルのランディングページが生成され、キーワードリスト管理モジュール２０８を有する公開されているウェブサーバ２１０のウェブページ生成モジュールのサーバ側にと共にキャッシュされる。キーワードレベルのランディングページは、顧客のコンテンツフィード（ウェブサイト製品コンテンツデータベース２０６から）が更新されるたびに再キャッシュされる。次に、キャッシュされたコンテンツは、ウェブサイトへの訪問者がコンテンツを要求するたびに、顧客ウェブサーバ２０１にホストされている顧客のウェブサイトに提供される。このサーバ側のキャッシングは、ユーザがキーワードランディングページをロードするときにウェブサイト製品コンテンツデータベース２０６に対して実行される新しいクエリがないように、ページロード時間をより速くすることを保証する。代わりに、キャッシュされた、静的ＨＴＭＬページが提供される。定期的な再キャッシュは、コンテンツの鮮度を保証し、最後のサーバ側キャッシュ以降のウェブサイト製品コンテンツデータベース２０６から利用可能な新しい製品／サービスを含めるために重要である。
【００８３】
キーワードレベルのランディングページは、ＣＳＳとＨＴＭＬの一部を使用して、顧客のオリジナルのウェブページのように見えるように設計される。このプロセスは、外部キーワードランディングページを顧客のウェブサイトに設計及び／又は適合させる際に実行され、シームレスなユーザエクスペリエンス、低い直帰率及び高いコンバージョン率を提供する。
【００８４】
元の顧客ドメインのＵＲＬでユーザや検索エンジンにキーワードレベルのランディングページを表示することができるためには、サブドメイン及びサブディレクトリの２つの方法がある。顧客がトップレベルドメインのサブドメインのＵＲＬを介してユーザ及び検索エンジンに表示されるキーワードレベルのランディングページを選択すると、顧客は、トップレベルドメインのサブドメインをキーワードレベルのランディングページに委任し、公開されているウェブサーバ２１０内のウェブページ生成モジュールのＩＰアドレスにそれを向ける。
【００８５】
顧客が、サブディレクトリのＵＲＬ、又はメインドメインの別の唯一のＵＲＬパターンを介してユーザ及び検索エンジンに表示されるキーワードレベルのランディングページを選択すると、顧客は、サブディレクトリをキーワードレベルのランディングページに割り当て、そのサブディレクトリのリバースプロキシＵＲＬ書き換えをインストールして、対応するキーワードレベルのランディングページドメインＵＲＬからのウェブページコンテンツを表示する。
【００８６】
生成されたキーワードレベルのランディングページは、上述のように顧客ウェブサイトのサブドメイン又はサブディレクトリを介してＳＥＭ広告トラフィック及びユーザに表示される公開されているウェブサーバ２１０内のウェブページ生成モジュールに生成、キャッシュ及びホストされる。公開されているウェブサーバ２１０内のこのウェブページ生成モジュール及びその格納されたキーワードレベルのランディングページは、検索エンジン２０４の検索広告リストデータベース２０３からのＳＥＭ広告を介して、ならびに直接にトラフィックからの直接のＵＲＬリクエストを公開される。
【００８７】
キーワードリスト管理モジュール２０８は、製品コンテンツデータベース２１１の顧客からの製品及び／又はコンテンツフィード、及び非顧客データテーブル２１２の外部キーワード関連データに対して、ＳＥＭアカウントサーバ２０５に格納された顧客ＳＥＭアカウントからＳＥＭキーワードセットを実行する。つまり、製品コンテンツは、キーワードランディングページごとに選択される。製品コンテンツを識別するために、ＳＥＭ索引は、コンテンツ索引検索モジュール２０９で利用可能な索引製品コンテンツに対して、又は比較して検索される。次に、キーワードセットは、製品検索結果ページの形態で最適化されたウェブサイトランディングページを作成するために使用される。キーワードリスト管理モジュール２０８はまた、キーワード対コンテンツ一致規則の修正を可能にする。例えば、修正は、同義語、ストップワード及びネガティブキーワード、及び結果ランキングアルゴリズム（例えば、Ｗｏｒｄ  ｃｏｕｎｔ、Ｏｋａｐｉ  ＢＭ２５、Ｐｒｏｘｉｍｉｔｙ検索など）の管理、非顧客データテーブル２１２から非製品データ又は非顧客データをいつ、どのように含むかの規則、手動又はスケジュール更新への変更、及び生成されたランディングページにおける製品フィードコンテンツ更新を含むための再キャッシュを含んでもよい。ＳＥＭアカウントサーバ２０５は、サーバ及びＳＥＭ広告及びキーワードデータベースを含むＳＥＭアカウントシステムの一部である。
【００８８】
図３Ａに示す一般的なプロセスは、キーワードランディングページテンプレートを準備し、ＳＥＭアカウントサーバ２０５内のＳＥＭキャンペーンからキーワードリストを取り出すことによって開始される。ＳＥＭキャンペーンからインポートされたキーワードが既に以前のアップロードからのキーワードリスト管理モジュール２０８に存在するかどうかを調べるためのチェックが行われる。インポートされたキーワードがキーワードリスト管理モジュール２０８に存在すると、システムはＳＥＭキーワードレベルのランディングページが既に生成されて存在すると判定する。キーワードレベルのランディングページが以前に作成されていないと判定されると（インポートされたキーワードが存在しないとして）、キーワードが検索装置（Ｓｐｈｉｎｘ検索）の顧客製品リストに対して実行、すなわち検索又は比較される。
【００８９】
図３Ｂに示す一般的なプロセスは、顧客側のＵＲＬ書き換えモジュール２０２がＵＲＬのサブセット（例えば、サブドメイン、サブディレクトリ、又は他の唯一のＵＲＬフォーマット）をリバースプロキシＵＲＬ書き換えに委任することによって、及びコンテンツ索引検索モジュール２０９（例えば、Ｓｐｈｉｎｘサーチ）におけるインポート及び索引付けのために製品コンテンツデータベース２１１に送られる製品フィードを準備することによって、開始する。
システムにまだ存在しないＳＥＭキャンペーンからインポートされたキーワードは、検索装置の製品リストに対して実行、すなわち検索又は比較され、その結果は最小「キーワード対製品結果」スコアを通るかどうかについてスコア付けされる。例えば、ランディングページの最初の３つの検索結果が参照され、キーワードの表示頻度がカウントされる。閾値は、最初の３つの結果におけるキーワード出現の最大数で割った最初の３つの結果のタイトルにおけるキーワードの出現の合計を計算された％値として定義することができる（例えば、キーフレーズが４語、上位３つの結果のタイトルでは最大発生数が１２であり、閾値が７５％であると、ランディングページが「キーワード対製品結果スコア」を通るためには、最初の３つの結果でキーワードが８回以上発生する必要がある）。さらなるオプションは、結果ランキングに使用される個別のアルゴリズムに基づいてスコアの閾値数を使用することである。例えば、製品結果を作成するためにコンテンツ索引検索モジュール２０９で使用される各キーワードアルゴリズムは、結果ごとに異なる種類のスコアを作成し、これらのスコアはキーワードのランク付けに使用される。
【００９０】
キーワードリスト管理モジュール２０８は、キーワード対コンテンツの一致のスコアが所定の閾値未満であると判定すると、コンテンツ一致及びランク付けアルゴリズムを適合させることができるようにレポートを作成し、キーワードリスト管理モジュール２０８によって、追加の同義語、ネガティブキーワード、ストップワードを追加することができ、又はキーワード分類を最適化することができる。
【００９１】
キーワードリスト管理モジュール２０８が、製品結果が一致スコア閾値を通るか又は超えると判定すると、キーワードリスト管理モジュール２０８によってキーワードに非製品コンテンツトリガ、例えば位置ワードが含まれているかどうかが判定するチェックが実行される。キーワードリスト管理モジュール２０８が、キーワードに非製品コンテンツが含まれていると判定すると、キーワードリスト管理モジュール２０８によってキーワードレベルのランディングページに一致する非製品コンテンツが追加される。例えば、キーワードが非製品コンテンツトリガとしてロケーションワードを含む場合、関連する店舗位置又は配送料金情報をキーワードレベルのランディングページに示すことができる。
【００９２】
次いで、キーワードレベルのランディングページは、唯一のキーワードマッチングＵＲＬを有するウェブサーバ２１０のウェブページ生成モジュールに格納され、最適なページロード時間のためにキャッシュされる。
【００９３】
次いで、キーワードリスト管理モジュール２０８によってキーワードレベルのランディングページＵＲＬがキーワードのリストに追加され、自動ラベルを異なる規則（例えば、作成日）に従って追加されることができ、キーワードのリスト及び一致するキーワードレベルのランディングページはシステム２０７からエクスポートされ、顧客ＳＥＭキャンペーンにインポートされる。
【００９４】
図３Ａ及び図３Ｂに示す一般的なプロセスは、図４に示すキーワード拡張プロセスによって強化することができる。この追加プロセスは、手動アップロード、ＡＰＩ統合、又はレファラＵＲＬストリングからの検索クエリ情報の読み込みのいずれかを介して、ＳＥＭアカウントからの検索クエリの入力で開始される。
【００９５】
テストは、検索フレーズが完全一致キーワードを有する検索フレーズ及び対応するランディングページをターゲットとする有用で十分なトラフィックを配信するかどうかを判定するためにキーワードリスト管理モジュール２０８によって実行される。検索クエリの値を決定するために、「値の閾値」テストが実行される。この値の閾値は、キーワードリスト管理モジュール２０８において、例えば、最大直帰率パーセンテージ、最小のサイト滞在時間又はセッションあたりのページ数値、又は最小コンバージョン率パーセンテージなどとして定義される。キーワードリスト管理モジュール２０８が、検索クエリが定義された閾値を超えないと判定すると、検索クエリは破棄され、このサブプロセスは停止する。
【００９６】
キーワードリスト管理モジュール２０８が、検索クエリが閾値を通ると判定すると、キーワードリスト管理モジュール２０８は、検索クエリを図３Ｂに示すＳＥＭキーワードレベルランディングページ作成プロセスに通す。新しいキーワードリストとランディングページがＳＥＭアカウントに再アップロードされると顧客がこの情報をＳＥＭキャンペーンで利用できるように、新しいキーワード及び対応するキーワードランディングページを他のランディングページと共に顧客のＳＥＭアカウントサーバ２０５にアップロードする前に、「新しい検索クエリ」などのように、図３Ａ及び図３Ｂを参照して論じたキーワードリストにラベルが追加される。
【００９７】
図３Ａ及び図３Ｂに示す一般的なプロセスは、図５に示すような非製品コンテンツ追加プロセスによってさらに強化することができる。
【００９８】
この追加のプロセスは、非製品コンテンツソース、キーワードトリガ規則、キーワードランディングページテンプレートセクション、及び特性の定義から始まる。その後、プロセスは、手動アップロード、顧客フィード、他のソースからのフィード、又はウェブクローラを介して、非製品コンテンツをインポートする。次いで、非製品コンテンツは、キーワードが非製品キーワードトリガについてテストされるとき、図３Ａに記載されたプロセスで使用される。
【００９９】
言い換えれば、キーワードリストは、追加の非製品コンテンツをインポートするためにコンテンツギャップを満たす大量のトラフィックが存在するパターンがあるかどうかをシステムが判定できるように、顧客のＳＥＭアカウントサーバ２０５から取り出される。
【０１００】
図６は、本明細書に記載のシステム２０７によって、特にウェブサーバ２１０のウェブページ生成モジュールによって生成されたキーワードレベルのランディングページ６０１の例を示す。キーワードレベルのランディングページは、顧客ウェブサーバ２０１のＩＰアドレス及び顧客ウェブサイトドメイン又はサブドメインを識別するユーザフレンドリーなＵＲＬ６０２を有する。ＵＲＬには、ＳＥＭキーワードの全ての語ではないにしても、少なくとも一部を含んでいる。キーワードレベルのランディングページは、検索広告リストデータベース２０３からＳＥＭ広告をトリガする検索エンジン２０４における見込顧客によって入力されたキーワードに（少なくとも部分的に）基づいて検索結果を示す。
【０１０１】
顧客のロゴ及び／又はビジネスネーム６０３が表示される。キーワードランディングページの様々なセクションは、パンくずリンク６０５、製品リンク、顧客ウェブサイトのトップメニュー６０４、顧客ウェブサイトのサイドメニュー及び／又はナビゲーションによる製品リストの改良６０６、顧客ウェブサイトのフッタ６１２、ユーザのための既存の顧客ウェブサイト２０１との完全な視覚的及びナビゲーションによる統合の目的に役立つ全てのような、様々なデータ及びリンクの表示のために割り当てられる。
【０１０２】
別のセクション６０８では、主索引検索結果は、コンテンツ索引検索モジュール２０９からの完全一致に基づいて、ＳＥＭアカウントサーバ２０５のＳＥＭキャンペーンによって提供されたＳＥＭキーワード又は検索照会に提供される。すなわち、完全一致は、コンテンツ索引検索モジュール２０９で使用される検索順位付けアルゴリズムに従って、キーワード集合内の全ての語を一致させることを意味する。別のセクション６１１において、関連する結果は、見込み顧客によって検索エンジン２０４に提供された検索語に関連する検索結果に基づいて提供される。タイトル、主及び関連検索結果セクション（６０８及び６１１）には、サムネイル及び製品キーワード及び価格を含む製品詳細が表示される。製品キーワードは、キーワードセット内の語を顧客ウェブサイトから提供された製品詳細のデータベースと照合することに基づいて選択される。製品キーワードは、同義語も含むことがある。
【０１０３】
さらなるセクション６０９では、製品カテゴリに特有のバナー及びプロモーションを示すことができる。セクション６１０では、位置に特有のデータ又は任意の非製品関係であるが関連するデータを示すことができる。
【０１０４】
ランディングページ内の特定のセクションは、永続データ、すなわち、常に更新されているわけではないため、一度だけデータをキャッシュに保存する必要があるデータを表示するために使用される。ランディングページ内の他のセクションは、常に更新され、そのために到達する必要がある動的データを表示するために使用される。永続データを表示するセクションの例は、セクション６０３、６０４、６０５、６０６、６０９、６１０、６１及び６１２である。動的データを表示するセクションの例は、セクション６０７、６０８及び６１１である。
【０１０５】
したがって、本明細書に記載のシステム及び方法は、例えば、次のような特定の問題を扱う。
・ＳＥＭキーワードレベルのランディングページでユーザの検索クエリに近い一致する製品コンテンツを提示することで、ユーザが能動的に検索している製品をより容易に見つけやすくし、ＳＥＭトラフィックの予想コンバージョン率を向上させる。
・プロセスを自動化し、本明細書で説明したシステムで数十万のキーワードレベルのページの起動及び更新ができるようにすることによって、ＳＥＭキーワードレベルのランディングページの生成を計測可能にする。
・顧客のコンテンツ内、ならびに外部ソースから高い関連性のスケールで非製品に関連するコンテンツの包含を可能にし、ユーザ検索クエリの関連性、したがってコンバージョン率をさらに増加させる。
・Ｇｏｏｇｌｅ  ＡｄＷｏｒｄｓ（商標）などのＳＥＭプラットフォームのＳＥＭキーワードに対するランディングページコンテンツの可能な限り近い一致を生成する。ＳＥＭプラットフォームは、典型的には、同じ広告位置についてより低いクリック単価、又はＳＥＭオークションで同じクリック単価についてより高い位置に導くより高い「ランディングページ品質スコア」を割り当てることによってこの近い一致に報いる。
・キーワードリストに現在含まれていない関連性の高いユーザ検索クエリを自動的に特定し、関連するランディングページを自動的に作成し、新しいキーワードとランディングページの組み合わせをＳＥＭキャンペーンにアップロードすることによって、ＳＥＭキャンペーンをさらに強化し、キャンペーン管理リソースの要求を削減する。
・ウェブサイトの構造とＳＥＭアカウントの構造を切り離すことによって、既存のウェブページの限界を超えてＳＥＭキャンペーンを最適化し、既存のウェブサイトのユーザエクスペリエンスや内部検索エクスペリエンスを変更することなくこれを行う。
・低いユーザ直帰率、より高いコンバージョン率などにより、検索エンジンで検索を行っているユーザのユーザエクスペリエンスが向上する「。
【０１０６】
本明細書に記載するシステムは、ウェブサイトのコンテンツのさまざまな側面を次のような事項によって検索エンジンに提示する。
Ａ）ウェブサイトの製品及び／又はコンテンツフィードを外部システムのデータベース２１１に保存する。このデータベースは、コンテンツの鮮度を保証するために、ウェブサイトの製品及び／又はコンテンツフィードが顧客製品データベース２０６で更新されるときにはいつでも更新される。
Ｂ）ヘッダー、フッタ、メニュー及びデザイン／ＣＳＳの観点で既存の顧客ウェブページに一致するか、少なくとも部分的に又は近く一致するランディングページテンプレートを作成する。
Ｃ）ウェブサイトに関連するＳＥＭキャンペーンからＳＥＭキーワードをインポートする。
Ｄ）ＳＥＭキーワードに関連する追加の非製品関連コンテンツを特定し、このデータをインポート及び構造化する。
Ｅ）システムのデータベース内の製品及び／又はコンテンツフィードからＳＥＭキーワードレベルのランディングページを作成し、これらのランディングページのそれぞれの製品及び／又はコンテンツフィードに一致する最も関連性の高いキーワードセットを表示する。
Ｆ）ＳＥＭキーワードに、ターゲットキーワードセット内のキーワードについて非製品関連コンテンツの関連性トリガが含まれているかどうかをテストし、該当する場合は関連性のないコンテンツをキーワードレベルのランディングページに追加する。
Ｇ）これらのランディングページをシステムのサーバにホスト及びキャッシュする。
Ｈ）このコンテンツをユーザに表示するが、検索エンジンではなく、ウェブサイトのサブドメイン又はウェブサイトのメインドメインのサブディレクトリに表示する。
Ｉ）ＳＥＭ検索クエリがＳＥＭキーワードリストに含まれていないかどうかを継続的にテストし、関連性と品質の閾値をテストし、これらの閾値が通ると、関連するＳＥＭキャンペーンに自動的に追加される新しいランディングページとキーワードの組み合わせを作成する。
【０１０７】
したがって、本明細書に記載のシステム、モジュール、及び方法は、個別のキーワードのコンテンツ関連性を向上させるために、有料検索キャンペーンのキーワードレベルのランディングページを生成することができるため、ＳＥＭトラフィックのコンバージョン率、ＳＥＭランディングページの品質スコアを改善し、ウェブサイトに関連付けられたＳＥＭでの取得単価を低減する。
【０１０８】
本明細書に記載されたシステムを使用して、ランディングページがキーワードのクラスタ（例えば数十万の新しいランディングページ）に対して生成されてもよいことが理解されるであろう。例えば、システムは、ランディングページのテンプレートを構築し、ウェブサイトから製品／コンテンツフィードを受信し、その製品フィードの索引に対してキーワードを検索又は比較して、製品結果のランディングページを作成してもよい。システムは、１０のキーワードのバリエーションが同じランディングページに関連付けることができることを識別してもよい。
【０１０９】
別個のランディングページは、キャンペーン定義用語のセット内の複数のキーワード、キャンペーン定義用語のセット内のキーワードのサブセット、キャンペーン定義用語のセット内の全てのキーワード、又はキャンペーン定義用語のセット内のキーワードの定義済みのクラスタのそれぞれについて生成してもよいことが理解されるであろう。例えば、１対１又は多対１のキーワードとランディングページの関係がある。
【０１１０】
本明細書に記載された本発明の実施形態は単なる例示に過ぎず、本発明の範囲から逸脱することなく様々な変更及び修正を行うことができることが理解されるであろう。
【産業上の利用可能性】
【０１１１】
記載された構成は、コンピュータ及びデータ処理産業、特に着陸ページ最適化産業に適用可能である。
【０１１２】
上記は、本発明の一部の実施形態のみを説明し、本発明の範囲及び精神から逸脱することなく、本発明の修正及び／又は変更を行うことができ、実施形態は例示的であって限定的ではない。
【０１１３】
本明細書の文脈において、「含む（ｃｏｍｐｒｉｓｉｎｇ）」という用語は、「主として、しかし必ずしも必須ではない」又は「有する」又は「含む」を意味し、「のみからなる」を意味するものではない。「含む（ｃｏｍｐｒｉｓｅ）」及び「含む（ｃｏｍｐｒｉｓｅｓ）」などの用語「含む（ｃｏｍｐｒｉｓｉｎｇ）」の変形は、対応して変化する意味を有する。
【図１Ａ】
2019519840.tif 000003
【図１Ｂ】
2019519840.tif 000004
【図２】
2019519840.tif 000005
【図３Ａ】
2019519840.tif 000006
【図３Ｂ】
2019519840.tif 000007
【図４】
2019519840.tif 000008
【図５】
2019519840.tif 000009
【図６】
2019519840.tif 000010
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
ウェブサイトにおけるウェブサイトコンテンツに関連する有料検索キャンペーンのキーワードレベルのランディングページを生成するシステムであって、前記システムは、
１組のキャンペーン定義用語を受信し、前記１組のキャンペーン定義用語は、ＳＥＭキャンペーンにおいてＳＥＭキーワードとして能動的にターゲットとされる複数のフレーズを含むように適合されたキーワードリスト管理モジュールと、
前記ウェブサイトコンテンツに関連するウェブサイトコンテンツデータを受信するように適合されたウェブサイトコンテンツ収集モジュールと、
前記ウェブサイトコンテンツ収集モジュールから前記ウェブサイトコンテンツデータを取り出し、前記取り出したウェブサイトコンテンツデータを前記システムのウェブサイトコンテンツデータベースに格納し、
前記受信したキャンペーン定義用語及び前記ウェブサイトコンテンツデータベースに格納された前記取り出したウェブサイトコンテンツデータに基づいて複数のランディングページを生成し、
前記ウェブサイトの外部にあり、前記ウェブサイトコンテンツデータベースにアクセスを有する公開されているウェブページサーバと通信して、前記公開されているウェブページサーバが前記生成されたランディングページを格納して提供できるようにする
ように適合されたランディングページ生成モジュールと
を含むシステム。
【請求項２】
前記１組のキャンペーン定義用語は、ＳＥＭアカウントからの１つ以上のキーワードリスト及び／又は１つ以上のユーザ検索クエリリストを含む請求項１に記載のシステム。
【請求項３】
前記ユーザ検索クエリリスト内のユーザ検索クエリは、完全一致ＳＥＭキーワードによって能動的にターゲットとすることができ、又は前記ＳＥＭプラットフォームによるフレーズ又は部分一致ターゲットキーワードを介してトリガすることができる請求項２に記載のシステム。
【請求項４】
前記システムは、ＳＥＭプラットフォームＡＰＩ、手動アップロードの１つから、又はリファラＵＲＬから前記キャンペーン定義用語を取り出すように構成された請求項２に記載のシステム。
【請求項５】
前記キャンペーン定義用語は、複数のキーワードを含み、前記複数のキーワードのそれぞれは、単一のキーワード又は複数の語からなるキーフレーズである請求項３に記載のシステム。
【請求項６】
前記キャンペーン定義用語は、複数のユーザ検索クエリを含み、各ユーザ検索クエリは、単一のキーワード又は複数の語からなるキーフレーズを含む請求項３に記載のシステム。
【請求項７】
前記ウェブサイトコンテンツ収集モジュールは、前記ウェブサイトコンテンツに関連する外部コンテンツを受信するようにさらに適合された請求項１に記載のシステム。
【請求項８】
前記生成されたランディングページを格納して提供するように適合された公開されているウェブページサーバをさらに含む請求項１に記載のシステム。
【請求項９】
前記ウェブページサーバは、前記生成されたランディングページを、前記ウェブページサーバのＩＰアドレスを指す顧客サブドメインＵＲＬ、又はサーバ側ＵＲＬ書き換えを介して顧客サブディレクトリＵＲＬにパブリッシュする請求項２に記載のシステム。
【請求項１０】
前記キーワードリスト管理モジュールは、前記ウェブサイトコンテンツデータに関連する記述子に基づいてＳＥＭキーワードセットを分類するようにさらに適合された請求項１に記載のシステム。
【請求項１１】
前記キーワードリスト管理モジュールは、前記ウェブサイトコンテンツデータに基づく記述子を前記ターゲットとするキーワードセットに関連付けるようにさらに適合された請求項１に記載のシステム。
【請求項１２】
前記キーワードリスト管理モジュールは、さらに、キーワード対コンテンツ関係、同義語、ストップワード、マッチングアルゴリズム、ランキングアルゴリズム。コンテンツの更新／再キャッシュの頻度の１つ以上を定義するように適合された請求項１に記載のシステム。
【請求項１３】
前記ウェブサイトコンテンツデータは、前記ウェブサイトにおけるコンテンツに関連する製品及び／又はサービスデータを含む請求項１に記載のシステム。
【請求項１４】
前記ウェブページ生成モジュールは、各ランディングページについて唯一のリソースロケータを定義することによってランディングページを生成するようにさらに適合され、前記唯一のリソースロケータは、前記キャンペーン定義用語からの全てのキーワードの少なくともサブセットと、前記公開されているウェブページサーバへのリンクとを含む請求項１に記載のシステム。
【請求項１５】
前記ウェブページ生成モジュールは、他の生成されたランディングページへのハイパーリンクと、前記ウェブサイトコンテンツに基づく動的データと、前記ウェブサイトへのハイパーリンクとの１つ以上を有するランディングページを生成するようにさらに適合された請求項１７に記載のシステム。
【請求項１６】
前記キーワードリスト管理モジュールは、検索クエリの組み合わせがキーワードの組み合わせとして以前に使用されていないかどうかを識別するようにさらに適合された請求項１に記載のシステム。
【請求項１７】
前記キーワードリスト管理モジュールは、検索クエリの組み合わせが関連性及び品質基準を満たすかどうかを識別するようにさらに適合された請求項１に記載のシステム。
【請求項１８】
前記キーワードリスト管理モジュールは、ｉ）少なくとも１つのランディングページを作成し、ｉｉ）前記ＳＥＭアカウントにおいてキーワードとして以前に使用していない全ての検索クエリに特定のラベルを追加するようにさらに適合された請求項１に記載のシステム。
【請求項１９】
前記キーワードリスト管理モジュールは、一致するキーワードランディングページを有するＳＥＭキーワードリストをエクスポートし、及び／又は一致するキーワードランディングページを有するＳＥＭキーワードリストを前記ＳＥＭアカウントにＡＰＩを介してインポートするようにさらに適合された請求項１に記載のシステム。
【請求項２０】
前記ウェブサイトコンテンツ収集モジュールは、ＣＳＶアップロード、ＸＭＬフィード、ＡＰＩ又はウェブクローラを介して前記ウェブサイト及び／又は外部ソースから非製品関連データをインポートするようにさらに適合された請求項１に記載のシステム。
【請求項２１】
前記キーワードリスト管理モジュールは、非製品関連データ関連性についてのトリガワードをさらに定義するようにさらに適合された請求項１に記載のシステム。
【請求項２２】
前記キーワードリスト管理モジュールは、非製品関連データ及びキーワードコンポーネントの関係を定義するようにさらに適合された請求項１に記載のシステム。
【請求項２３】
前記キーワードリスト管理モジュールは、前記キャンペーン定義用語と前記ウェブサイトコンテンツとの間の関係を定義するようにさらに構成され、前記ランディングページ生成モジュールは、前記定義された関係に基づいて前記複数のランディングページを生成するようにさらに適合された請求項１に記載のシステム。
【請求項２４】
ウェブサイトにおけるウェブサイトコンテンツに関連する有料検索キャンペーンのキーワードレベルランディングページを生成する方法であって、前記方法は、
１組のキャンペーン定義用語を受信し、前記１組のキャンペーン定義用語は、ＳＥＭキャンペーンにおいてＳＥＭキーワードとして能動的にターゲットとされる複数のフレーズを含み、
前記ウェブサイトコンテンツに基づいてキーワード対コンテンツの関係を定義し、
前記ウェブサイトコンテンツに関連するウェブサイトコンテンツデータを受信し、
前記ウェブサイトコンテンツデータを取り出し、
前記取り出したウェブサイトコンテンツデータを前記システムのウェブサイトコンテンツデータベースに格納し、
前記受信したキャンペーン定義用語及び前記ウェブサイトコンテンツデータベースに格納された前記取り出したウェブサイトコンテンツデータに基づいて複数のランディングページを生成し、
前記ウェブサイトの外部にあり、前記ウェブサイトコンテンツデータベースにアクセスを有する公開されているウェブページサーバと通信して、前記公開されているウェブページサーバが、前記ウェブサイトコンテンツデータベースに格納された前記生成されたランディングページを格納して提供できるようにする
ことを含む方法。
【請求項２５】
前記１組のキャンペーン定義用語は、ＳＥＭアカウントからの１つ以上のキーワードリスト及び／又は１つ以上のユーザ検索クエリリストを含む請求項２４に記載の方法。
【請求項２６】
前記ユーザ検索クエリリスト内のユーザ検索クエリは、完全一致ＳＥＭキーワードによって能動的にターゲットとすることができ、又は前記ＳＥＭプラットフォームによるフレーズ又は部分一致目標キーワードを介してトリガすることができる請求項２５に記載の方法。
【請求項２７】
前記方法は、ＳＥＭプラットフォームＡＰＩ、手動アップロードの１つから、又はリファラＵＲＬから前記キャンペーン定義用語を取り出すステップをさらに含む請求項２５に記載の方法。
【請求項２８】
前記キャンペーン定義用語は、複数のキーワードを含み、前記複数のキーワードのそれぞれは、単一のキーワード又は複数の語からなるキーフレーズである請求項２６に記載の方法。
【請求項２９】
前記キャンペーン定義用語は、複数のユーザ検索クエリを含み、各ユーザ検索クエリは、単一のキーワード又は複数の語からなるキーフレーズを含む請求項２６に記載の方法。
【請求項３０】
前記ウェブサイトコンテンツに関連する外部コンテンツを受信するステップをさらに含む請求項２４に記載の方法。
【請求項３１】
前記生成されたランディングページを格納して提供するステップをさらに含む請求項２４に記載の方法。
【請求項３２】
前記生成されたランディングページを、前記ウェブページサーバのＩＰアドレスを指す顧客サブドメインＵＲＬ、又はサーバ側ＵＲＬ書き換えを介して顧客サブディレクトリＵＲＬにパブリッシュするステップをさらに含む請求項２５に記載の方法。
【請求項３３】
前記ウェブサイトコンテンツデータに関連する記述子に基づいてＳＥＭキーワードセットを分類するステップをさらに含む請求項２４に記載の方法。
【請求項３４】
前記ウェブサイトコンテンツデータに基づく記述子を前記ターゲットとするキーワードセットに関連付けるステップをさらに含む請求項２４に記載の方法。
【請求項３５】
キーワード対コンテンツ関係、同義語、ストップワード、マッチングアルゴリズム、ランキングアルゴリズム。コンテンツの更新／再キャッシュの頻度の１つ以上を定義するステップをさらに含む請求項２４に記載の方法。
【請求項３６】
前記ウェブサイトコンテンツデータは、前記ウェブサイトにおけるコンテンツに関連する製品及び／又はサービスデータを含む請求項２４に記載の方法。
【請求項３７】
各ランディングページについて唯一のリソースロケータを定義することによって前記ランディングページを生成するステップをさらに含み、前記唯一のリソースロケータは、前記キャンペーン定義用語からの全てのキーワードの少なくともサブセットと、前記公開されているウェブページサーバへのリンクとを含む請求項２４に記載の方法。
【請求項３８】
他の生成されたランディングページへのハイパーリンクと、前記ウェブサイトコンテンツに基づく動的データと、前記ウェブサイトへのハイパーリンクとの１つ以上を有するランディングページを生成するステップをさらに含む請求項２４に記載の方法。
【請求項３９】
検索クエリの組み合わせがキーワードの組み合わせとして以前に使用されていないかどうかを識別するステップをさらに含む請求項２４に記載の方法。
【請求項４０】
検索クエリの組み合わせが関連性及び品質基準を満たすかどうかを識別するステップをさらに含むに請求項２４に記載の方法。
【請求項４１】
ｉ）少なくとも１つのランディングページを作成し、ｉｉ）前記ＳＥＭアカウント内のキーワードとして以前に使用していない全ての検索クエリに特定のラベルを追加するステップをさらに含む請求項２４に記載の方法。
【請求項４２】
一致するキーワードランディングページを有するＳＥＭキーワードリストをエクスポートするステップ、及び／又は一致するキーワードランディングページを有するＳＥＭキーワードリストを前記ＳＥＭアカウントにＡＰＩを介してインポートするステップをさらに含む請求項２４に記載の方法。
【請求項４３】
ＣＳＶアップロード、ＸＭＬフィード、ＡＰＩ又はウェブクローラを介して前記ウェブサイト及び／又は外部ソースから非製品関連データをインポートするステップをさらに含む請求項２４に記載の方法。
【請求項４４】
非製品関連データ関連性のためのトリガワードを定義するステップをさらに含む請求項２４に記載の方法。
【請求項４５】
非製品関連データ及びキーワードコンポーネントの関係を定義するステップをさらに含む請求項２４に記載の方法。
【請求項４６】
前記キャンペーン定義用語と前記ウェブサイトコンテンツとの間の関係を定義するステップと、前記定義された関係に基づいて前記複数のランディングページを生成するステップとをさらに含む請求項２４に記載の方法。
【請求項４７】
請求項２４から４５のいずれか一項に記載の方法で定義されたステップを実行するように構成されたサーバ。
【国際調査報告】
2019519840.tif 000011
2019519840.tif 000012
2019519840.tif 000013